(57)【要約】【課題】  表面側からの光が入射することによって、非常に強い輝きを有する、不規則な反射光を得ることができる表示板を、安価に提供することを課題とする。【解決手段】  透明層（１０）と不透明層（１１）とが積層状態として形成される複層板（１）と、第一反射部材（２）と、反射面を有する複数の光輝微細片が平均的且つ反射面の向きを不規則な状態として分散してなる第二反射部材とを備えてなり、前記複層板（１）は、不透明層（１１）側に開口して透明層（１０）に達する深さの収納凹部（１２）を形成し、該収納凹部（１２）内には、収納部材の底側から透明下地層（１３）、前記複数の第二反射部材からなる第二反射部材層（１４）、着色塗料層（１５）を積層し、更に、複層板（１）の不透明層（１１）と第一反射部材（２）とを重合固定した構成とした表示板（Ｓ）を、解決手段とする。【選択図】  図２
2006091213.tif 000002
【特許請求の範囲】
【請求項１】
透明層と不透明層とが積層状態として形成される複層板と、反射面を有する複数の光輝微細片が平均的且つ反射面の向きを不規則な状態として分散してなる第二反射部材と、第一反射部材とを備え、
前記複層板は、裏面側となる不透明層に開口し、且つ透明層に底面を有する収納凹部を形成し、該収納凹部内には、収納凹部の底側から透明下地層、前記第二反射部材からなる第二反射部材層を設け、第二反射部材層上に着色塗料層を塗布形成した構成とし、更に、複層板の不透明層と前記第一反射部材とを重合固定した構成を具備することを特徴とする表示板。
【請求項２】
透明板と、該透明板の裏面に固着される不透明板と、反射面を有する複数の光輝微細片が平均的且つ反射面の向きを不規則な状態として分散してなる第二反射部材と、第一反射部材とを備え、
不透明板は、切欠き状の意匠形成部を備え、該意匠形成部内に、複数の第二反射部材を平均的に分散配置してなる第二反射部材層と、該第二反射部材層の上に塗布形成される着色塗布層とを備え、更に該不透明板の裏面と前記第一反射部材とを重合固定した構成を具備したことを特徴とする表示板。
【請求項３】
第二反射部材層における光輝微細片は、多角形板状体としたことを特徴とする請求項１又は２記載の表示板。
【請求項４】
相互に重合される複層板と第一反射部材との縁部を被覆材で被覆してなることを特徴とする請求項１、２又は３記載の表示板。
【請求項５】
透明層と不透明層とが積層状態として形成される複層板の裏面側から意匠を形成するための溝状の収納凹部を形成し、該収納凹部の底部に、透明下地層を形成し、次いで、第二反射部材を平均的に分散配置して第二反射部材層を形成し、更に第二反射部材層上に着色塗料層を塗布形成し、着色塗料層の乾燥後、複層板の裏面側から第一反射部材を固着することを具備する表示板の製造方法。
【請求項６】
透明板の裏面に不透明板を固着し、不透明板における意匠を形成する部分のみを切欠いて意匠形成部を設け、該意匠形成部内に複数の第二反射部材を平均的に分散配置して第二反射部材層を形成し、次いで、第二反射部材層上に着色塗布層を塗布形成し、着色塗料層の乾燥後、不透明板の裏面側に、第一反射部材を固着することを具備する表示板の製造方法。
【発明の詳細な説明】
【技術分野】
【０００１】
本発明は、自然光に対する反射手段を備えた表示板及びその製造方法に関するものである。
【背景技術】
【０００２】
本出願人が先に出願した表示板、即ち、透明合成樹脂基板の片面に、文字、記号、模様等を形成する溝を形成し、該溝底に透明アクリル樹脂からなる下地層を、また薄い二枚の透明フィルムの間に着色したアルミ箔を挟んで細断し、０．２メッシュ乃至０．５メッシュ程度とした光輝微細片と透明樹脂とを混合してなる中間層を下地層の表面に、さらに該中間層の表面に透明樹脂からなる押圧層を、それぞれ半乾き状態で順次積層して固化させてなる表示板、及び該表示板を表示板本体としてその裏面に更に着色合成樹脂板を接着した表示板（例えば、特許文献１参照。）が公知である。
【０００３】
【特許文献１】実開平６−２３０７４号公報
【発明の開示】
【発明が解決しようとする課題】
【０００４】
上記特許文献１に係る表示板は、金属光沢を有する反射面を持つ微小な細片（以下、光輝微細片という。）を樹脂層内に練り込む構成により、光線の当たり具合によって反射光の色彩が変化する模様を顕出するものであり、一定の効果が得られるものであった。
【０００５】
しかしながら、反射光の色彩が変化する光輝微細片を備えているものの、蓄光塗料やバックライト等を使用せず自然光のみで使用するものであることから、十分に反射光を得ることが難しい点があり、反射光を得るために、極めて多量の光輝微細片を使用するものであった。そして、現実的には、極めて多量の光輝微細片を使用した場合であっても、十分な反射光は得難いものであった。
【０００６】
また、光輝微細片はその一つ一つが厚い樹脂内に囲まれるように練り込まれている構成であったことから、更に、十分な反射光を得ることが困難であった。
【０００７】
本発明は以上の事情に鑑みてなされたものであり、蓄光塗料やバックライト等を使用せず自然光のみで使用でき、極めて多量の光輝微細片を使用せずとも十分な反射光を得ることができるとともに、製造容易で、非常に強い反射光を得ることができる、非常に優れた表示板を提供することを、発明が解決しようとする課題とするものである。
【課題を解決するための手段】
【０００８】
透明層と不透明層とが積層状態として形成される複層板と、反射面を有する複数の光輝微細片が平均的且つ反射面の向きを不規則な状態として分散してなる第二反射部材と、第一反射部材とを備え、前記複層板は、裏面側となる不透明層に開口し、且つ透明層に底面を有する収納凹部を形成し、該収納凹部内には、収納凹部の底側から透明下地層、前記第二反射部材からなる第二反射部材層を設け、第二反射部材層上に着色塗料層を塗布形成した構成とし、更に、複層板の不透明層と前記第一反射部材とを重合固定した構成を具備することを特徴とする表示板を、課題を解決するための手段とする。
【発明の効果】
【０００９】
請求項１に係る発明によれば、透明層と不透明層とが積層状態として形成される複層板と、反射面を有する複数の光輝微細片が平均的且つ反射面の向きを不規則な状態として分散してなる第二反射部材と、板状の第一反射部材とを備え、前記複層板は、裏面側となる不透明層に開口し、且つ透明層に達する深さの収納凹部を形成し、該収納凹部内には、収納凹部の底側から透明下地層、前記第二反射部材からなる第二反射部材層を設け、第二反射部材層上に着色塗料層を塗布形成した構成とし、更に、複層板の不透明層と前記第一反射部材とを重合固定した構成を具備したことから、第二反射部材の量が少なくても、第二反射部材の隙間を透過する光が第一反射部材によって反射され、外部に対する反射光量を補うために、全体の反射光量を確保することができる。
【００１０】
また、上記構成によって、表面側から光が入射することにより、表面側に近い第二反射部材により、不規則な方向に反射がされるとともに、第二反射部材に生じている隙間から更に内部へ入射した光は、その一部が着色塗料層に吸収反射され、着色塗料層を更に透過した光は、第一反射部材により反射され、反射光の一部は外方へ着色された色の波長が出射されることによって、第二反射部材の不規則な乱反射と該第二反射部材の隙間からの反射光が有色となって得られる。一方、第二反射部材は平面的には分散状態にあるものの全体として透明下地層上に位置する構成によって、透明下地層の平面上において、反射面の向きが不規則な状態で、部分的に重合して、平均的に分散していることから、全体として第二反射部材は密集して反射する。これらの反射による相乗効果によって、表面側からの光が入射することによって、非常に強く、乱反射による不規則な反射光を得ることができるのである。
【００１１】
また、請求項２に係る発明によれば、透明板と、該透明板の裏面に固着される不透明板と、反射面を有する複数の光輝微細片が平均的且つ反射面の向きを不規則な状態として分散してなる第二反射部材と、第一反射部材とを備え、不透明板は、切欠き状の意匠形成部を備え、該意匠形成部内に、複数の第二反射部材を平均的に分散配置してなる第二反射部材層と、該第二反射部材層の上に塗布形成される着色塗布層とを備え、更に該不透明板の裏面と前記第一反射部材とを重合固定した構成としたことから、入射光が透明板を透過するのみで第二反射部材へ届くため、より強い反射光を得ることができ、また、第二反射部材が着色層を介して第一反射部材に密着するように配置されることから、当該第二反射部材がより密集し、乱反射による不規則な、強い反射光を得ることができる。
【００１２】
また、第二反射部材層における光輝微細片を多角形板状体とした場合には、反射面が多角形となることから、当該多角形の板状体の角部により、反射状態の輪郭が鮮明となり、また、光輝微細片の側壁に平坦な反射面が多数形成されることにより光輝微細片自体の輝き、視認性を向上させることができる。
【００１３】
また、相互に重合される複層板と第一反射部材との縁部を被覆材で被覆することによって、透明層と不透明層との境界を外部から遮蔽して、表示板としての外観体裁を向上させることができる。
【００１４】
一方、透明層と不透明層とが積層状態として形成される複層板の裏面側から意匠を形成するための溝状の収納凹部を形成し、該収納凹部の底部に、透明下地層を形成し、次いで、第二反射部材を平均的に分散配置して第二反射部材層として積層し、更に、着色塗料層を積層し、着色塗料層の乾燥後、複層板の裏面側から第一反射部材を固着することによって、収納凹部への第二反射部材層の形成を極めて簡単に行うことができ、また、使用する第二反射部材（即ち、光輝微細片）の量を大幅に低減することができる。
【００１５】
また、透明板の裏面に不透明板７を固着し、不透明板における意匠を形成する部分のみを切欠いて意匠形成部を設け、該意匠形成部内に複数の第二反射部材を平均的に分散配置して第二反射部材層を形成し、次いで、第二反射部材層上に着色塗布層１５を塗布形成し、着色塗料層の乾燥後、不透明板の裏面側に、第一反射部材を固着した場合には、透明板の裏面側における意匠形成位置以外の部分に不透明板を固着形成することで、請求項１に係る発明の収納凹部の形成を不要とし、該収納凹部の形成よりも簡素な構成とすることができ、製造容易且つ低コストとすることができ、極めて生産効率を向上させることができる。
【００１６】
更に、当該製造方法によれば、透明板を透過する入射光により、同様に十分な反射光を得ることができることから、乱反射による不規則な、強い反射光を有する表示板を製造することができる。
【発明を実施するための最良の形態】
【００１７】
本発明は、表面側からの光が入射することによって、透明下地層の平面上において反射面の向きが不規則な状態で部分的に重合して平均的に分散状態となる第二反射部材による密集した乱反射と、着色塗料層を介する第一反射部材の反射により、第二反射部材の隙間から得られる有色の反射光が得られ、これらの相乗作用による非常に強い反射光を有する、製造容易な表示板を提供する目的を達成した。
【実施例１】
【００１８】
図１は本発明の実施例１に係る表示板Ｓの表面側及び裏面側を示す一部断面とした斜視図、図２は同実施例１に係る表示板Ｓの説明断面図及び一部拡大説明図、図３は同実施例１に係る表示板Ｓの製造過程を示す説明図、図４は本発明の実施例２に係る表示板Ｓの説明断面図及び一部拡大説明図、図５は同実施例２に係る表示板Ｓの製造過程を示す説明図、図６は他の実施例に係る表示板Ｓの説明断面図及び一部拡大説明図、図７は本発明の雄実施例１に係る光輝微細片１４０ａを示す斜視図である。
【００１９】
本発明の実施例１に係る表示板Ｓは、図１の表面側を示す斜視図及び裏面側を示す一部断面とした斜視図に示すように、厚さ２ミリメートル程度のアクリル樹脂透明板の裏面側に不透明の塗料層が形成されてなる、透明層１０と不透明層１１とを積層状態として有する複層板１と、厚さ０．３ミリメートル程度の板状で前記アクリル透明板と外形輪郭の一致するアルミ板である第一反射部材２と、木板３とを、順次重合固着した構成を備え、これら複層板１、第一反射部材２及び木板３は、夫々接着剤等によって固着するとともに、これらの縁部全体及び木板３全体を被覆材４である装飾用紙４ａで被覆してなる構成である。
【００２０】
ここで、図２に示すように、複層板１は、不透明層１１側に開口して透明層１０に底面を有する収納凹部１２を形成している。該収納凹部１２は、溝状、有底穴状に適宜形成され、表示板Ｓにおける文字、模様、記号等の輪郭を形成するものである。
【００２１】
そして、収納凹部１２内には、該収納部材１２の底側から、無色透明な透明下地層１３、前記第二反射部材１４０である光輝微細片１４０ａからなる第二反射部材層１４、着色塗料層１５を積層した構成としている。尚、以後の説明において、収納凹部１２内の積層に関しては、アクリル合成樹脂板の裏面側を上層側として説明する。
【００２２】
本実施例における、前記無色透明な透明下地層１３は、上記第二反射部材１４を固定するためのものであり、透明ワニスの上澄み液を使用している。
【００２３】
透明下地層１３の平面上には、第二反射部材層１４が設けられる。第二反射部材層１４は、前記したように第二反射部材１４０である複数の光輝微細片１４０ａからなるものであり、該光輝微細片１４０ａの反射面は、図７に示すように、略正六角形状で、反射面の幅が０．５ミリメートル前後程度の樹脂にアルミ箔を蒸着した微小な細片であり、反射角度によって反射光の色が変化するホログラムチップと呼ばれるものである。本実施例に係る光輝微細片は同程度の大きさを有するもののみを使用している。
【００２４】
第二反射部材層１４を構成する光輝微細片１４０ａは、およそ均一に透明下地層１３の平面上に散らばっており、部分的に光輝微細片１４０ａ相互が重なり合っており、反射面の向きが不規則になっている。また、本実施例１に係る光輝微細片１４０ａは、六角形の板状体として形成されている。
【００２５】
着色塗料層１５は第二反射部材層１４上に塗布形成されているが、着色塗料層１５自体が第二反射部材層１４を構成する光輝微細片１４０ａの隙間から透明下地層１３上へ至る箇所にも形成されている。
【００２６】
以上の構成を有する複層板１は、両面接着テープ１６を介して第一反射部材２と固着している。第一反射部材２のうち着色塗料層１５に対応する位置には、両面接着テープ１６を設けず、前記着色塗料層１５と第一反射部材２とは略当接状態として構成される。また、第一反射部材２の裏面側には、該第一反射部材２と外形輪郭の一致する木板３が接着剤１７によって固着されている。
【００２７】
そして、複層板１、第一反射部材２及び木板３の縁部全体及び裏面側に露出する木板３の裏面全体に対して接着剤４０を用いて被覆材４である装飾用紙４ａを被覆してなる構成である。
【００２８】
以上の本発明の実施例１に係る表示板Ｓによれば、表面側から自然光が入射することにより、表面側に近い複数の第二反射部材１４０である光輝微細片１４０ａにより、不規則な方向に乱反射されるとともに、散在する光輝微細片１４０ａ間に生じている隙間から更に内部へ入射した光は、その一部が着色塗料層１５に吸収反射される。
【００２９】
このうち着色塗料層１５を更に透過した光は、第一反射部材２により反射され、反射光の一部は外方へ着色された色の波長のみ出射されることによって、前記光輝微細片１４０ａの不規則な乱反射光と、第一反射部材から着色塗料層を介して反射され該光輝微細片１４０ａ間の隙間から出射される有色の反射光とが得られる。
【００３０】
また、前記したように、着色塗料層１５は第二反射部材層１４上に設けられているが、塗料自体が第二反射部材１４０を構成する光輝微細片１４０ａの隙間から透明下地層１３上へ至る箇所にも形成されていることから、当該箇所に着色塗料層１５が存在することによって、直接塗料の色が外部へ露呈し、塗料の色彩がより明瞭となり、視覚効果を良好とすることができるのである。
【００３１】
そして、更に、第ニ反射部材１４０である光輝微細片１４０ａが平面的には分散状態にあるものの全体として透明下地層１３上に密集して位置する構成によって、透明下地層１３の平面上において、反射面の向きが不規則な状態で、部分的に重合して、平均的に分散しているため、全体として光輝微細片１４０ａは密集して反射する。
【００３２】
以上の作用による相乗効果によって、表面側からの光の入射によって、非常に強い輝きを有する、乱反射による不規則な反射光を得ることができるのである。
【００３３】
また、光輝微細片１４０ａはその反射面が六角形状であることから、角部からの反射光が目に届くことで、円形状とした場合と比べて反射状態の輪郭がより鮮明となり、反射面の角のシャープな輪郭形状を有する反射光を得ることができ、また、反射面が六角形状としたことによって、側面は六面の平坦面として併せて形成されることから、これらが独立した反射面として作用することにより、光輝微細片１４０ａ自体の輝きを著しく向上させることができるのである。
【００３４】
更に、複層板１、第一反射部材２及び木板３の縁部全体及び裏面側に露出する木板３の裏面全体に対して接着剤４０を用いて装飾用紙４ａを被覆してなることによって、透明層１０と不透明層１１との境界線を外部から遮蔽することができることから、表示板Ｓとしての外観体裁を向上させることができるとともに、前記複層板１、第一反射部材２及び木板３の縁部全体及び裏面側に露出する木板３の裏面全体をより強固に結合することができるのである。
【００３５】
次に、上記実施例１に係る表示板Ｓの製造方法について説明する。
先ず、図３に示すように、アクリル樹脂透明板の裏面側に厚さ０．１ミリメートル未満程度の不透明のウレタン焼付塗装をしてなる複層板１の裏面側に、文字、模様、図形、記号等、所望の意匠を形成しておき、対応する溝を０．１乃至０．２ミリメートルの深さで形成する。（尚、図３では理解を容易とするために、ウレタン焼付塗装部分（即ち不透明層）の膜厚を大きくする等適宜厚さ比率を変更して表示している。）
ここで、形成した溝が、収納凹部１２として機能する。
【００３６】
次に、収納凹部１２の底部に無色透明な透明ワニスの上澄み液を塗布して、透明下地層１３を形成する。透明下地層１３の上部は略水平な平坦面として形成しておき、該平坦面に第二反射部材１４０である光輝微細片１４０ａを、平均的に撒き、第二反射部材層１４を形成する。
【００３７】
そして、当該光輝微細片１４０ａに対して着色剤を塗布し、着色塗料層１５を形成する。ここで、本実施例における着色剤は、和信塗料製のコンクステン（商品名）を使用し、塗布には刷毛を用いている。
【００３８】
着色剤は、勿論一例として示したコンクステンに限らず、公知な種々の着色剤を使用することができるし、種々の色を配合使用することができる。また、塗布方法についても、例えば吹付け等、刷毛以外の種々の公知塗布手段を利用することができる。
【００３９】
着色剤を乾燥させた後、複層板１の裏面側のうち、収納凹部１２の開口部（即ち、着色剤を塗布した部分）を除いて、両面接着テープ１６を貼付し、第一反射部材２であるアルミ板を重合固着する。
【００４０】
次いで、木板３を第一反射部材２であるアルミ板の裏面側へ接着剤１７を用いて接着し、複層板１、第一反射部材２及び木板３の縁部全体及び裏面側に露出する木板３の全体に対して接着剤４０を用いて被覆材４である装飾用紙４ａを被覆して完成する。
【実施例２】
【００４１】
次に、本発明の実施例２に係る表示板Ｓについて説明する。尚、本実施例２に係る構成のうち、実施例１と同様の構成については同一符号を付して説明する。本発明の実施例２に係る表示板Ｓは、図４に示すように、実施例１に示した複層板１に代えて、透明板６と金属光沢を有する不透明板７を用いてなるものである。
【００４２】
また、不透明板７は、図４に示すように、基材に金属薄膜を重合してなる金属光沢層７ａと、該金属光沢層７ａの両面に設けた接着層７ｂ、７ｃとからなり、意匠を形成するための部分である切欠き状態の意匠形成部が形成されており、透明板６の裏面側に前記接着層の一方を介して固着されている点において、前記実施例１に係る表示板Ｓと相違するものである。
【００４３】
そして、本実施例２に係る表示板Ｓは、図５に示すように、透明なアクリル樹脂板である透明板６の裏面側に、不透明板７を固着し、不透明板における意匠を形成する部分のみを切欠いて意匠形成部を設け、該意匠形成部内に複数の第二反射部材１４０である光輝微細片１４０ａを収容する。尚、本実施例における不透明板は、接着層７ｂ、７ｃの表面に図示されない剥離紙を備えたものであり、前記透明板６の裏面に対して貼着する際には一方の接着層７ｃ側の剥離紙を剥がして貼着する。
【００４４】
次いで、光輝微細片１４０ａ上から着色塗布層１５を塗布形成し、意匠形成位置１８以外の不透明板７の裏面側の剥離紙を剥がして接着層７ｂへアルミ製の第一反射部材２を重合し、更に接着剤１７を介して木板３を積層し、そして、透明板６、不透明板７、第一反射部材層２及び木板３の夫々における縁部全体、及び裏面側に露出する木板３の全体に対して接着剤４０を用いて被覆材４である装飾用紙４ａを接着被覆することによって得ることができる。
【００４５】
本実施例によれば、実施例１に係る表示板Ｓと同様に、光輝微細片１４０ａの使用量を低減するとともに、十分な反射光を得ることができることは勿論、実施例１に示した収納凹部の形成を不要とし、製造容易且つ低コストとすることができるとともに、第二反射部材１４０である光輝微細片１４０ａが着色塗料層１５を介して第一反射部材２に特に密着するように配置されることから、当該第二反射部材１４０がより密集し、更に、強い輝きの、乱反射による不規則な反射光を得ることができるのである。
【００４６】
尚、本発明の実施例１に示すように、第一反射部材２と、複層板１の不透明層１１との固着は、両面接着テープ１６のみならず、種々の公知な接着剤等の固着手段を使用することができるし、また、実施例２に示す不透明板６は必ずしも両面に接着層を設ける必要は無く、種々の公知な固着手段を使用することができる。
【００４７】
また、前記複層板１、第一反射部材２、木板３の各間において用いられる固着手段を一切使用せずに、専ら、装飾用紙４ａのみによって、第一反射部材２と複層板１若しくは透明板６との固着を行なうこともできる。
【００４８】
また、本発明においては、着色塗料層１５は、有色であれば色の種類は問わない趣旨であり、不透明なもののみならず、半透明、有色透明をも含む趣旨である。更に本発明における着色塗料層１５とは、ウレタン樹脂に限らず、他の合成樹脂や金属箔等をも含む広義なものを含む趣旨である。
【００４９】
本発明の実施例１、実施例２のいずれにおいても、第二反射部材１４０である光輝微細片１４０ａはその反射面を六角形としたが、本発明は、これに限らず、三角形、八角形等、任意の多角形とすることができる趣旨である。
【００５０】
また、上記実施例では、光輝微細片１４０ａの反射面の幅が０．５ミリメートル前後程度の大きさを有するもののみを使用しているが、本発明はこれに限らず、異なる大きさの光輝微細片を混合して使用することもできる。
【００５１】
また上記本実施例１及び実施例２のいずれにおいても、アルミ板の裏面側に木板３を設けたが、当該木板３は表示板Ｓの品質の向上、及び、アルミ板の角が突出させずに安全性を確保するために設けるものである。しかしながら、木板３は、必ずしも設ける必要は無く、他の実施例として図６に示すように、木板３を全く用いないものとすることもできるし、また、木板の枚数を変更可能としてもよいし、木板３に代えて合成樹脂、ゴム等の他の緩衝材等を用いたり、更に、これら他の緩衝材と木板３とを適宜積層することもできる。
【００５２】
被覆材４及び接着材４０についても、必ずしも必要とするものではなく、用途に応じて設けないものとすることもできる。尚、本実施例においては、被覆材４として装飾用紙４ａを用いることで、非常に高品質な装飾板として利用することができるとともに、各層の結着性をより向上させることができる。
【００５３】
更に、本発明において、収納凹部とは、溝状のみならず、有底穴状等も含む趣旨である。
【００５４】
また、本発明における光輝微細片は、金属光沢を有する微小な細片であれば特に限定せず、例えば、上記実施例１及び実施例２に開示した、樹脂にアルミ箔を蒸着してなる所謂ホログラムチップの細片等、種々の金属光沢を有する細片を用いることができる。尚、実施例のようにホログラムチップを用いた場合には、着色塗料層による色を有する強い乱反射光に加えて、第二反射部材１４０の反射光の色が変化を伴うことから、非常に優れた装飾性を備えることができる。
【００５５】
一方、上記実施例２において使用した不透明層７は、不透明であれば足りる趣旨であり、必ずしも金属光沢を有する必要は無く、例えば、無地に模様を形成したもの等とすることもできるし、また、不透明であれば合成樹脂製のフィルム状の薄膜とすることもできる。このように不透明層を設けることにより、意匠形成位置での反射光がよりはっきりと認識することができる。
【００５６】
また、本発明における第一反射部材は、上記実施例１及び実施例２においてアルミ板としたが、本発明はこれに限るものではなく、例えば鏡面を有する板状体等とすることもできるし、金属膜を蒸着により形成した軟質フィルム等とすることもできる。
【００５７】
更に、複層板若しくは透明板及び不透明板はいずれも必ずしも硬質である必要はなく、ナイロン、フッ素樹脂、ポリプロピレンの軟質の透明層若しくは軟質の透明板に、前記合成樹脂製のフィルム状の薄膜等のように軟質として形成した不透明層若しくは不透明板を、積層することもできる。そして、例えば前記したように第一反射部材を軟質フィルム等の反射部材として組合せることによって、表示板Ｓを軟質なものとして形成することができる。尚、軟質とは弾性を有するもののみを示すのではなく、可撓性を有すればよい趣旨である。軟質として形成した表示板Ｓは、テープ状等として形成することもできる。
【産業上の利用可能性】
【００５８】
以上に示した本発明に係る表示板Ｓは、硬質、軟質を問わず、看板、装飾板や表札のほか、道路標識、衣服や車両に用いられる夜間安全用反射板、夜間安全用反射テープ等としても使用することができるし、また、田畑等における鳥の駆除具等、風によってなびいて乱反射光による視覚上の効果を与えるものとしても使用することもできる。
【図面の簡単な説明】
【００５９】
【図１】本発明の実施例１に係る表示板を示す一部断面とした斜視図である。
【図２】本発明の実施例１に係る表示板の説明断面図及び一部拡大説明図である。
【図３】本発明の実施例１に係る表示板の製造過程を示す説明図である。
【図４】本発明の実施例２に係る表示板の説明断面図及び一部拡大説明図である。
【図５】本発明の実施例２に係る表示板の製造過程を示す説明図である。
【図６】本発明の他の実施例に係る表示板の説明断面図及び一部拡大説明図である。
【図７】本発明の実施例１に係る第二反射部材（光輝微細片）を示す斜視図である。
【符号の説明】
【００６０】
Ｓ        表示板
１        複層板
１０      透明層
１１      不透明層
１２      収納凹部
１３      透明下地層
１４      第二反射部材層
１４０    第二反射部材
１４０ａ  光輝微細片
１５      着色塗料層
１６      両面接着テープ
１７      接着剤
１８      意匠形成位置
２        第一反射部材
３        木板
４        被覆材
４ａ      装飾用紙
４０      接着剤
６        透明板
７        不透明板
７ａ      金属光沢層
７ｂ      接着層
７ｃ      接着層
【図１】
2006091213.tif 000003
【図２】
2006091213.tif 000004
【図３】
2006091213.tif 000005
【図４】
2006091213.tif 000006
【図５】
2006091213.tif 000007
【図６】
2006091213.tif 000008
【図７】
2006091213.tif 000009